(57)【特許請求の範囲】
【請求項１】
モータにより回転される駆動軸に、一対の揉みローラと、多数の刺激用突部を有する回転ローラを夫々取り付け、これら揉みローラと回転ローラをカバーシートにより覆ったものにおいて、前記カバーシートは、揉みローラを覆う揉みローラ部を回転ローラを覆う回転ローラ部に比べて伸縮性をもたせると共に、前記カバーシートの揉みローラ部と回転ローラ部の色彩を異ならせたことを特徴とするマッサージ機。
【発明の詳細な説明】
【０００１】
【発明の属する技術分野】
本発明は、モータにより回転される駆動軸に、一対の揉みローラと、多数の刺激用突部を有する回転ローラを夫々取り付け、これら揉みローラと回転ローラをカバーシートにより覆ったマッサージ機で、特に、カバーシートの構成に関する。
【０００２】
【従来の技術】
主として家庭内にて使用される簡易な構成のマッサージ機として、例えば、実公平７−４９９４３号公報（Ａ６１Ｈ１５／００）に開示されている如く、モータにより回転される駆動軸に、相反する方向に傾斜する一対の揉みローラと、多数の刺激用突部を有する回転ローラを夫々取り付け、これら揉みローラと回転ローラをカバーシートにより覆ったマッサージ機が普及している。
【０００３】
回転ローラは回転運動し、その上に足等の被マッサージ体を置いてマッサージするものであり、揉みローラは左右の接近離反運動をし、その間に被マッサージ体を入れて揉むものである。
【０００４】
従来のカバーシートは布製カバーより構成されているが、その大きさは、一対の揉みローラ間に被マッサージ体を入れて揉みローラの接近離反動作を確実にするためには、大きくした方がよく、その結果、カバーシートの特に回転ローラを覆う部分がだぶつき、しわになり易く、反対に、回転ローラにフィットするような大きさのカバーシートであると、揉みローラ間に被マッサージ体を挿入しにくく揉みローラの動作が確実に行えないという問題があった。
【０００５】
【発明が解決しようとする課題】
本発明は、カバーシートのだぶつきを少なくしてフィット感を向上させても、揉みローラの動作を支障なく確実にできるマッサージ機を提供することを課題とする。
【０００６】
【課題を解決するための手段】
本発明は、モータにより回転される駆動軸に、一対の揉みローラと、多数の刺激用突部を有する回転ローラを夫々取り付け、これら揉みローラと回転ローラをカバーシートにより覆ったものにおいて、カバーシートは、揉みローラを覆う揉みローラ部を回転ローラを覆う回転ローラ部に比べて伸縮性をもたせると共に、前記カバーシートの揉みローラ部と回転ローラ部の色彩を異ならせたものである。
【０００７】
かかる構成により、カバーシートの回転ローラ部や揉みローラ部のだぶつきを少なくしても、揉みローラ部に伸縮性をもたせているので、支障なく一対の揉みローラ間に被マッサージ体を挿入してマッサージできる。さらに  揉みローラ部と回転ローラ部は互いに異なる色彩の布地から構成されているので、カバーシート内部に揉みローラと回転ローラという異なる機能のマッサージ装置が内蔵されていることを明示することができ、視覚的訴求効果を向上することができる。
【０００８】
【発明の実施の形態】
本発明のマッサージ機を一実施例として示した図１乃至図５に基づき説明する。１は平面形状がコ字型をした合成樹脂製の本体ケースで、上下２分割可能に構成されている。この本体ケース１の対峙する取付ベース２、３間に後述する揉みローラと回転ローラが装備される。本体ケース１の取付ベース２、３を連結する部分はハンドル４となる。５は本体ケースを床面に設置するための脚で、本体ケース１の下面四隅にある。
【０００９】
取付ベース３内には、モータ６が配設されている。モータ６は防振用ゴム７を介して取付金具８により取付ベース３に固定される。このモータ６の駆動力は、ウォーム１２、ウォームホイール１１の減速装置を介して駆動軸９に伝達される。１０は減速装置を収納するギアケースである。ウォームホイール１１は駆動軸９に固定され、ウォーム１２は、モータ６の軸に固定されている。１３はモータ６を制御するための制御部、１４は電源コードを示す。
【００１０】
前記駆動軸９は取付ベース２、３の対峙壁間に、軸受１５、１５でもって回転自在に支持されている。軸受１５，１５は、上側と下側の本体ケース１間に挟持される。
【００１１】
この駆動軸９の中央部には、相反する方向に傾斜した一対の揉みローラ１６、１６が取り付けられている。揉みローラ１６は、駆動軸９に対して回転方向には固定され、軸線Ｌ方向には摺動できる揉み基台１７と、揉み基台１７の外周に複数の鋼球１８を介して回転自在に装着された遊転部１９から構成される。遊転部１９は、鋼球１８に対する摺動面を夫々有する第１取付板２０及び第２取付板２１と、この両取付板２０、２１により下端部が挟持されたゴム等の弾性体よりなる揉み部２２から構成される。２３は両取付板２０、２１を揉み部２２の下端部を介して固定するネジである。揉み部２２には内側へ向かって突出する複数（約１０個前後）の突部２４が形成されている。
【００１２】
ここで駆動軸９が回転すると、揉み基台１７は回転するが、遊転部１９は、足を遊転部１９，１９間に挿入するなどして負荷が加わった状態になると、剛球１８の転動を伴って非回転状態を保ち、鋼球１８の摺動面が駆動軸９の軸線Ｌと平行でなく傾斜しているので、駆動軸９に対する傾倒角度を変えて、その対向面を接近離反する動作を繰り返す。従って、この間に挟まれた足等の被マッサージ体を揉むことができる。前記突部２４はこの際被マッサージ体を押圧する。
【００１３】
駆動軸９の一対の揉みローラ１６、１６の外側には、回転ローラ２５、２５が取り付けられている。回転ローラ２５は、駆動軸９に固定され且つ一端にフランジ２６を有し他端が開放された円筒状の第１基台２７と、この第１基台２７の他端開放部を塞ぐ円盤状の第２基台２８と、前記フランジ２６と第２基台２８の間に、駆動軸９と平行に橋架される複数本のローラ軸２９と、このローラ軸２９に回転自在に取り付けられた２種類のローラ３０、３１とから構成される。その一つ３０は同じ形をした二つの刺激用突部３２が形成されたもので、他の一つは、両側に大きな刺激用突部３３がその間に扁平な刺激用突部３４が形成されたものである。ローラ軸９は例えば１０本あり、この軸９にローラ３０と３１が交互に取り付けられている。
【００１４】
駆動軸９の回転により回転ローラ２５が回転し、ローラ３０、３１の刺激用突部３２、３３、３４により例えば足等の被マッサージ体をマッサージ（ローリングマッサージ）する。
【００１５】
一対の揉みローラ１６と回転ローラ２５の間には、揉みローラ１６を常時互いに接近する方向に付勢するコイルスプリング３７が圧縮状体で巻装されている。また一対の揉みローラ１６、１６間の駆動軸９には、スペーサ４０が固定され、前記コイルスプリング３７で付勢される一対の揉みローラ１６、１６の接近量を規制している。
【００１６】
これにより、揉みローラ１６、１６間に足を入れて揉む場合、揉みローラ１６に加わる荷重が大きくなっていくと、初めは揉み部２２の突部２４が圧縮されるが、さらに荷重が大きくなると、弾性体３７が圧縮して、一対の揉みローラ１６、１６を互いに離れるように退避させ、被マッサージ体である足に過大な圧力が加わることを防止するものである。前記スペーサ４０には、２個の補助ローラ３８が回転自在に設けられているが、これは、揉みローラ１６で足を揉みながら足裏に刺激を与える場合などに使う。
【００１７】
上記揉みローラ１６、１６と回転ローラ２５は柔軟性に富むカバーシート３５で覆われている。また第１基台２７の外周には、マッサージする際のカバーシート３５の巻き込みを防止する多数のリブ３６が形成されている。
【００１８】
而して前記カバーシート３５は、図５に示すように、揉みローラ１６を覆う揉みローラ部５１とその両外側にある回転ローラ２５を覆う回転ローラ部５２、５２とからなり、これら３部材５１、５２、５２を縫合５４させることにより、一体化して構成されている。詳述すると、揉みローラ部５１と回転ローラ部５２との接合部に膨らみ５３を持たせた状態で縫合している。また揉みローラ部５１は、回転ローラ部５２に比べて伸縮性の富んだ布地から構成されている。
【００１９】
縫合５４は図１に示すようにカバーシート３５の裏側つまり回転ローラ２５や揉みローラ１６と接する側に施されている。そして、回転ローラ部５２は回転ローラ２５の外周に適合するような寸法になっており、また揉みローラ部５１は揉みローラ１６の外周との間に遊びを持った状態で適合するように寸法が設定されている。また揉みローラ部５１と回転ローラ部５２は夫々異なる色彩が施されている。
【００２０】
カバーシート３５の一方の両端部（回転ローラ部５２の揉みローラ部５１との縫合部５４は反対側の端部）には、紐５５を通す通路５６が形成され、この通路５６内に紐５５が通されている。またカバーシート３５の他方の両端部には、互いに結合するマジックファスナー５７、５８が三対装着されている。
【００２１】
このカバーシート３５を取り付けるために、取付ベース２、３の対峙壁には、フランジ５９、５９が形成されている。詳述すると、取付ベース２、３の対峙壁から突設された短寸の筒体の先端に周設されている。そしてフランジ５９と対峙壁との間に短寸の筒体を底とする嵌入溝６０が形成されている。また、取付ベース２、３間の裏側（下側）には、図４に示す如くフランジ５９、５９より一体に支持ステー６１が架設されている。
【００２２】
カバーシート３５を取り付けるには、カバーシート３５を両ローラ１６、２５、２５上に被せて、その両端部にある紐５５を嵌入溝６０に入れ、紐５５の両端６２を嵌入溝６０の裏側にてくくる。またカバーシートの他方の両端部を支持ステー６１上に導き出して三対のマジックファスナー５７、５８を互いに結合させることにより取り付ける。図３や図４はこの時の状態を示す。
【００２３】
このようにして取り付けたカバーシート３５は、揉みローラ１６を覆う揉みローラ部５１は、揉みローラ１６の外周との間に遊びを有した状態で覆っており、回転ローラ２５を覆う回転ローラ部５２は、回転ローラ２５の外周にだぶつきなく覆っている。
【００２４】
従って、一対の揉みローラ１６間に足を挿入して揉むための接近離反動作が、支障なく行えると共に、回転ローラ部においてはだぶつきが少なくフィットした感触が得られる。
【００２５】
ここで、揉みローラ部５１は、回転ローラ部５２に比べて伸縮性の富んだ布地から構成されているので、揉みローラ部の遊びを少なくして揉みローラにフィットした状態になっていても、揉みローラ部の伸縮により、揉みローラ１６間に被マッサージ体を挿入してマッサージするのに支障をきたすことがない。
【００２６】
また、揉みローラ部５１と回転ローラ部５２は互いに異なる色彩の布地から構成されているので、カバーシート３５内部に揉みローラ１６と回転ローラ２５という異なる機能のマッサージ装置が内蔵されていることを明示することができ、視覚的訴求効果を向上することができる。
【００２７】
【発明の効果】
本発明によれば、カバーシートは、揉みローラを覆う揉みローラ部を回転ローラを覆う回転ローラ部に比べて伸縮性をもたせているので、回転ローラ部や揉みローラ部のだぶつきを少なくしても、揉みローラ部の伸縮により、支障なく一対の揉みローラ間に被マッサージ体を挿入してマッサージすることができるので、カバーシートのフィット感を向上させることができる。さらに  揉みローラ部と回転ローラ部は互いに異なる色彩の布地から構成されているので、カバーシート内部に揉みローラと回転ローラという異なる機能のマッサージ装置が内蔵されていることを明示することができ、視覚的訴求効果を向上させることができる。
【図面の簡単な説明】
【図１】本発明のマッサージ機の平面断面図である。
【図２】図１のＡ−Ａ線に基づく断面図である。
【図３】図１のＢ−Ｂ線に基づく断面図である。
【図４】本発明のマッサージ機の要部裏面図である。
【図５】本発明のマッサージ機で使用するカバーシートの斜視図である。
【符号の説明】
６      モータ
９      駆動軸
１６      揉みローラ
３２      刺激用突部
３３      刺激用突部
３４      刺激用突部
２５      回転ローラ
３５      カバーシート
５１      揉みローラ部
５２      回転ローラ部
【図１】
0003557193.tif 000002
【図２】
0003557193.tif 000003
【図３】
0003557193.tif 000004
【図４】
0003557193.tif 000005
【図５】
0003557193.tif 000006